(57)【要約】【課題】廃棄物を削減できるとともに、施工を容易にした床ユニットを提供する。【解決手段】床ユニット１は、下方に隙間を形成する支持脚２およびフロアパネル３と、フロアパネル３の上方に配置され、上面がパイル繊維層４２で構成されたタイルカーペット４と、タイルカーペット４の上に配置された意匠材５とを備え、意匠材５は、意匠基板５１と該意匠基板５１の下面に貼り付けられた面ファスナー５２とを有し、面ファスナー５２とタイルカーペット４のパイル繊維層４２との結合力によってタイルカーペット４に結合したものである。【選択図】図１
2020016019.tif 000002
【特許請求の範囲】
【請求項１】
下方に隙間を形成する隙間形成部材と、
前記隙間形成部材の上方に配置され、上面が繊維で構成された敷物材と、
前記敷物材の上に配置された意匠材とを備え、
前記意匠材は、意匠基材と該意匠基材の下面に貼り付けられた面ファスナーとを有し、該面ファスナーと前記繊維の結合力によって前記敷物材に結合したものであることを特徴とする床ユニット。
【請求項２】
前記敷物材は複数設けられており、
前記意匠材は、複数の前記敷物材にまたがって延在していることを特徴とする請求項１記載の床ユニット。
【請求項３】
前記意匠材は、前記意匠基材の下面中央部に貼り付けられた高さ調整部材を有するものであり、
前記面ファスナーは、前記高さ調整部材の周囲に配置されていることを特徴とする請求項１または２記載の床ユニット。
【請求項４】
前記高さ調整部材は、前記面ファスナー以上の高さを有するものであることを特徴とする請求項３記載の床ユニット。
【請求項５】
前記面ファスナーおよび前記高さ調整部材は、粘着剤により前記意匠基材にそれぞれ着脱可能に貼り付けられていることを特徴とする請求項３または請求項４記載の床ユニット。
【請求項６】
前記意匠基材は、上下方向に見て矩形状をしたものであり、
前記面ファスナーは、前記意匠基材の各辺それぞれに沿って貼り付けられていることを特徴とする請求項１〜５のうちいずれか１項記載の床ユニット。
【請求項７】
前記意匠基材と前記面ファスナーとの貼り付き力は、該面ファスナーと前記繊維の結合力よりも強いことを特徴とする請求項１〜６のうちいずれか１項記載の床ユニット。
【発明の詳細な説明】
【技術分野】
【０００１】
本発明は、下方に隙間を形成した床ユニットに関する。
【背景技術】
【０００２】
従来、オフィス等に用いられる床ユニットとして、各種ＯＡ機器の電源用配線やＬＡＮケーブル等のコンピュータ用配線を床下に配置できるように床下に配線用の隙間を形成したものが知られている。この床ユニットでは、建築物に形成された基礎床面の上に、支持脚が一体化した脚付フロアパネルを多数設置するか、基礎床面の上に支持脚を設置し、それらの支持脚の上に平面状のフロアパネルを多数設置することで、基礎床面とフロアパネルとの間に隙間を形成している。このフロアパネルは、床としての耐荷重性を必要とするため、金属製、合成樹脂製、コンクリート製等の剛性の高いものが用いられている。フロアパネルの上には、下面に粘着剤が塗布された敷物材が複数敷き詰められる。机の配置換え等で配線の取り出し位置を変更する際には、これらの敷物材の何枚かを剥がし、フロアパネルを持ち上げることで、床下の配線の位置および配線の取り出し位置を容易に変更できる。この敷物材には、上面が繊維で構成されたタイルカーペットや、硬質の部材で構成されたフローリング等がある。上面が繊維で構成された敷物材は、柔軟性が高いため、敷物材の上を歩く人や物によって生じる振動や衝撃を敷物材自体で吸収することができる。また、隣り合うフロアパネルの間に段差、いわゆる不陸が発生してしまうことがあるが、上面が非光沢の繊維で構成されているので不陸を目立たなくすることもできる。一方、敷物材として硬質の部材を用いる場合は、敷物材の下に弾性パッドなどを敷き詰めておき、その弾性パッドで振動や衝撃を吸収するとともに不陸をある程度吸収している。このような床ユニットとして、例えば特許文献１に記載されたものが知られている。
【先行技術文献】
【特許文献】
【０００３】
【特許文献１】特表２００２−５２１５９８号公報
【発明の概要】
【発明が解決しようとする課題】
【０００４】
ところで、従来は、オフィスの模様替えなどで敷物材を変更する場合、それまで使用していた敷物材を全て剥がして新しい敷物材を貼りなおしていた。この場合、それまで使用していた敷物材が廃棄物となってしまうという問題があった。また、敷物材を剥がす工数と新しい敷物材を貼り付ける工数が必要になるため、施工が煩雑になるという問題もあった。
【０００５】
本発明は上記事情に鑑み、廃棄物を削減できるとともに、施工を容易にした床ユニットを提供することを目的とする。
【課題を解決するための手段】
【０００６】
上記目的を解決する本発明の床ユニットは、
下方に隙間を形成する隙間形成部材と、
前記隙間形成部材の上方に配置され、上面が繊維で構成された敷物材と、
前記敷物材の上に配置された意匠材とを備え、
前記意匠材は、意匠基材と該意匠基材の下面に貼り付けられた面ファスナーとを有し、該面ファスナーと前記繊維の結合力によって前記敷物材に結合したものであることを特徴とする。
【０００７】
この床ユニットによれば、敷物材と意匠材を面ファスナーで結合させているので、敷物材を剥がさなくでも意匠材を敷物材の上に敷き詰めるだけで施工を完了できる。しかも、それまでに使用していた敷物材を廃棄する必要もなくなる。その上、隙間形成部材と意匠材の間に弾性パッドを配置しなくても、敷物材の弾性により振動や衝撃を吸収できるとともに敷物材の弾性により不陸もある程度吸収できる。
【０００８】
また、この床ユニットにおいて、前記敷物材は複数設けられており、
前記意匠材は、複数の前記敷物材にまたがって延在していてもよい。
【０００９】
こうすることで、隣り合う敷物材の継ぎ目部分に段差があったとしても、上に配置された意匠材によって段差の高い側が強く押さえつけられて敷物材のその部分がつぶれるるので段差が吸収され、さらに段差は意匠材で隠されるので、意匠材の上面では段差をほぼなくすことができる。
【００１０】
また、この床ユニットにおいて、前記意匠材は、前記意匠基材の下面中央部に貼り付けられた高さ調整部材を有するものであり、
前記面ファスナーは、前記高さ調整部材の周囲に配置された態様であってもよい。
【００１１】
設置された意匠材は下面側よりも上面側の方が乾燥しやすいので、中央部分が下方に落ち込み周辺部分が上に反る上反り癖がつきやすい。この態様によれば、高さ調整部材により意匠材の中央部分が下方に落ち込んでしまうことを抑制できるので、上反りしにくくなる。また、面ファスナーを高さ調整部材の周囲に配置しているので周囲が上方に反るよことを抑制できるのでより上反りしにくくなる。
【００１２】
さらに、この床ユニットにおいて、前記高さ調整部材は、前記面ファスナー以上の高さを有するものであってもよい。
【００１３】
こうすることで、意匠材の上反りをより確実に防止できる。なお、ここでいう面ファスナー以上の高さを有するとは、面ファスナーの先端が敷物材の繊維に食い込んで、意匠材と敷物材とが結合した時に、面ファスナーの、繊維に食い込んでいない部分の高さよりも高さ調整部材の高さの方が高いことをさす。
【００１４】
また、この床ユニットにおいて、前記面ファスナーおよび前記高さ調整部材は、粘着剤により前記意匠基材にそれぞれ着脱可能に貼り付けられていてもよい。
【００１５】
意匠材を部屋に設置するときに、部屋の端部では、意匠材の一部を切断して意匠材の形状や大きさを調整することがある。その際、面ファスナーが貼り付けられている部分が切断されてしまうと、意匠材を敷物材に結合した際に結合力が不足してしまう虞がある。この発明によれば、面ファスナーおよび高さ調整部材を意匠基材に着脱自在に貼り付けているので、調整した後の意匠基材の形状に合わせて結合が必要な位置に面ファスナーを貼りつけなおすことができる。
【００１６】
また、この床ユニットにおいて、前記意匠基材は、上下方向に見て矩形状をしたものであり、
前記面ファスナーは、前記意匠基材の各辺それぞれに沿って貼り付けられていてもよい。
【００１７】
面ファスナーを各辺にそって貼り付けることで、意匠材の各辺が上方に反ることを抑制できるので上反りすることをより確実に防止できる。
【００１８】
また、この床ユニットにおいて、前記意匠基材と前記面ファスナーとの貼り付き力は、該面ファスナーと前記繊維の結合力よりも強くてもよい。
【００１９】
こうすることで、意匠材を敷物材から引きはがす際に、意匠基材から面ファスナーが引きはがされてしまうことを確実に防止できる。
【発明の効果】
【００２０】
本発明によれば、廃棄物を削減できるとともに、施工を容易にした床ユニットを提供することことができる。
【図面の簡単な説明】
【００２１】
【図１】本発明の一実施形態に相当する床ユニットが設置された状態を側面から見た概略図である。
【図２】意匠材を下方から見た下面図である。
【図３】（ａ）は、図２のＡ−Ａ断面図であり、（ｂ）は、面ファスナーおよび高さ調整部材を意匠基板に貼り付ける前の状態における同図（ａ）と同様の断面図である。
【図４】タイルカーペットおよび意匠材を、意匠材の長手方向から見た概念図である。
【図５】意匠材を設置中の部屋を簡易的に示す平面図である。
【図６】支持脚とフロアパネルの変形例を示す、図１と同様の概略図である。
【図７】面ファスナーおよび高さ調整部材の変形例を示す、図２と同様の下面図である。
【発明を実施するための形態】
【００２２】
以下、図面を参照して本発明の実施の形態を説明する。本発明の一実施形態である床ユニットは、各種ＯＡ機器の電源用配線やＬＡＮケーブル等のコンピュータ用配線を床下に配置できるように床下に配線用の隙間を形成した床ユニットである。
【００２３】
図１は、本発明の一実施形態に相当する床ユニットが設置された状態を側面から見た概略図である。
【００２４】
図１に示すように、床ユニット１は、支持脚２と、フロアパネル３と、タイルカーペット４と、意匠材５とを有する。支持脚２は、基礎床面Ｆの上に５００ｍｍ間隔で多数配置されている。支持脚２は、基礎床面Ｆの上に固定された固定プレート２ａと、この固定プレート２ａに立設された支柱２ｂと、その支柱２ｂの上端に取り付けられたパネル受座２ｃとから構成されている。支柱２ｂの上部には雄ネジが形成されている。また、パネル受座２ｃの下部には雌ネジが形成されている。支柱２ｂとパネル受座２ｃとはこれらのネジによって連結されているので、パネル受座２ｃを支柱２ｂに対して回転させることで、パネル受座２ｃの高さ方向の位置を調整することができる。パネル受座２ｃの上部には、パネル受座２ｃとの間でフロアパネル３の角部を挟み込んでフロアパネル３を固定するためのパネル固定ナット２１が取り付けられている。パネル固定ナット２１が支持脚２に取り付けられた状態では、パネル固定ナット２１の上面とフロアパネル３の上面とは同じ高さになっている。
【００２５】
フロアパネル３は、木製のコア材の表裏面を金属板で挟むことで構成された板状をしている。なお、フロアパネル３は、合成樹脂製、コンクリート製など他の材料で構成されていてもよい。このフロアパネル３は、上方から見て、四隅が切り欠かれた５００ｍｍ角の正方形をしている。このフロアパネル３の四隅それぞれが、パネル受座２ｃの上に載置されることで、フロアパネル３は支持脚２によって支持されている。また、フロアパネル３の四隅それぞれが、パネル固定ナット２１によって挟み込まれることでフロアパネル３は支持脚２に固定されている。このフロアパネル３と支持脚２とを組み合わせたものが隙間形成部材の一例に相当する。支持脚２の上にフロアパネル３を載置することで、基礎床面Ｆとフロアパネル３との間に配線Ｌを配置するための隙間Ｓが形成されている。
【００２６】
タイルカーペット４は、バッキング層４１と、そのバッキング層４１の上面に形成されたパイル繊維層４２とから構成されている。このタイルカーペット４は敷物材の一例に相当する。パイル繊維層４２は、ループ状の繊維で形成されている。バッキング層４１の下面には粘着剤が塗布されている。なお、粘着剤とは、粘着性を有するとともに、硬化せずに、粘性を有する状態を半永久的に維持するものを指す。タイルカーペット４は、上面から見て５００ｍｍ角の正方形をしており、粘着剤の粘着力によりフロアパネル３の上面に貼り付けられている。なお、タイルカーペット４は、角部がフロアパネル３の中心に位置するように、上下方向から見て、フロアパネル３とは縦方向および横方向にそれぞれずらしてフロアパネル３に貼り付けられている。
【００２７】
意匠材５は、平板状の意匠基板５１と、面ファスナー５２と、高さ調整部材５３とから構成されている。この意匠基板５１は意匠基材の一例に相当する。面ファスナー５２および高さ調整部材５３は、意匠基板５１の下面に着脱可能に貼り付けられている。この面ファスナー５２がタイルカーペット４のパイル繊維層４２に結合することで、意匠材５はタイルカーペット４と結合している。
【００２８】
図２は、意匠材を下方から見た下面図である。
【００２９】
図２に示すように、意匠基板５１は、上下方向から見た形状が長方形をした板材である。この意匠基板５１の長手方向の長さは１０００ｍｍであり、短手方向の長さは１６６．６ｍｍである。この意匠基板５１の構成については、後に詳述する。意匠基板５１の下面中央部には、意匠基板５１より小さい長方形をした高さ調整部材５３が貼り付けられている。この高さ調整部材５３は、上下方向から見た形状が長方形をした発砲ポリエチレン製のシート材である。面ファスナー５２は、意匠基板５１下面の各辺それぞれに沿って、高さ調整部材５３を囲うように高さ調整部材５３の周囲に貼り付けられている。この面ファスナー５２は、幅２１ｍｍのテープ５２２と、そのテープ５２２の下面に形成された幅１８ｍｍのフック部５２３と、テープ５２２の上面に形成されたファスナ粘着層５２１（図３参照）とを有する。面ファスナー５２のフック部５２３と高さ調整部材５３との間隔および隣り合う面ファスナー５２のフック部５２３間の間隔は１．５ｍｍ以上１０ｍｍ以下である。また、面ファスナー５２のフック部と意匠基板５１の端縁との間隔は１．５ｍｍ以上５ｍｍ以下である。これらの間隔が広いと、タイルカーペット４の上に意匠材５が並べて敷き詰められた状態で、意匠材５の上を人が歩いた時に、面ファスナー５２または高さ調整部材５３が貼り付けられていない部分のみに体重がかかり、意匠基板５１が凹んで歩いている人が違和感を感じる虞がある。間隔を狭くすることで、意匠材５の上を歩く人が例えハイヒールを履いていたとしても、ヒールの一部は、面ファスナー５２のフック部または高さ調整部材５３が貼り付けられている部分に乗るので意匠基板５１が凹んでしまうことを防止できる。
【００３０】
図３（ａ）は、図２のＡ−Ａ断面図であり、図３（ｂ）は、面ファスナーおよび高さ調整部材を意匠基板に貼り付ける前の状態における同図（ａ）と同様の断面図である。
【００３１】
図３（ａ）に示すように、意匠基板５１は、突板５１１と、ベース板５１２と、基材粘着層５１３とから構成されている。突板５１１は、意匠基板５１における最上部に配置されており、その上面が意匠材５の意匠面ＤＦになっている。この突板５１１は、無垢の木材を薄くスライスしたものである。従って、意匠面ＤＦには、自然で美しい木目が表れている。ただし、突板５１１の代わりに、印刷紙または印刷樹脂シート等を用いても構わない。ベース板５１２は、木質繊維を原料とする成型板である中密度繊維板で構成されている。ベース板５１２は、合板や集成材等の他の木材や樹脂材料の板材などで構成してもよく、これらを貼り合わせたもので構成してもよい。また、ベース板５１２は、剛性の高い材料で構成してもよく、軟質樹脂シートなどの柔軟性の高い材料で構成してもよい。また例えば、中密度繊維板と軟質樹脂シートとの複合材料やガラス繊維と軟質樹脂シートとの複合材料で構成してもよい。ベース板５１２を柔軟性の高い材料で構成した場合、意匠材５全体が柔軟性の高い部材になる。基材粘着層５１３は、ベース板５１２の下面全面に形成されている。この基材粘着層５１３は、ベース板５１２に塗布されたピールアップ（登録商標）ボンドで構成されている。ピールアップボンドは、半永久的に粘着力を持続する粘着剤である。従って、このピールアップボンドを用いることで、ベース板５１２に貼り付けられた面ファスナー５２および高さ調整部材５３は、何度でも貼替えが可能である。すなわち、面ファスナー５２および高さ調整部材５３は、粘着剤により意匠基板５１に着脱可能に貼り付けられている。ピールアップボンドの代わりに、粘着力が持続する他の粘着剤を用いてもよい。また、一度貼り付けたら再度貼り付けができない他の粘着剤や接着剤を用いてもよい。ただし、粘着力が持続する粘着剤を用いることで、この意匠材５が貼り付けられる部屋の形状や大きさに柔軟に対応できる。これについて説明する。意匠材５をタイルカーペット４の上に敷き詰める際に、タイルカーペット４が貼られている部屋の形状やタイルカーペット４の形状に合わせて部屋の端部などで意匠材５の形状を調整する必要が生じることがある。その場合、部屋の形状などに合致するように意匠材５の一部を切断することになる。この切断により、意匠基板５１下面の一辺に沿って貼り付けられた面ファスナー５２の一つが意匠材５から全て切り取られてしまうことがある。本実施形態では、粘着力が持続する粘着剤を用いているので、意匠材５の一部を切断した後、面ファスナー５２および高さ調整部材５３を意匠基板５１から取り外して形状を調整して意匠基板５１に再度貼り付けることができる。これにより、意匠材５の形状を変化させても、面ファスナー５２を、意匠基板５１の各辺に沿って、高さ調整部材５３を囲うように高さ調整部材５３の周囲に貼り付けることができる。なお、意匠材５の一部を切断する際に、先ず面ファスナー５２および高さ調整部材５３をベース板５１２から取り外して、意匠基板５１、面ファスナー５２、および高さ調整部材５３の一部それぞれ切断して形状を調整した後、面ファスナー５２および高さ調整部材５３を意匠基板５１に再度貼り付けてもよい。
【００３２】
上述したように、面ファスナー５２は、テープ５２２と、フック部５２３と、ファスナ粘着層５２１とを有する。面ファスナー５２の高さ（高さの平均値をさす、以下同じ)は１．８ｍｍ以上２．０ｍｍ以下である。図３（ｂ）に示すように、ファスナ粘着層５２１は、テープ５２２の上面全面に形成されている。このファスナ粘着層５２１も、テープ５２２に塗布されたピールアップボンドで構成されている。意匠基板５１と面ファスナー５２とは、意匠基板５１に形成された基材粘着層５１３と面ファスナー５２に形成されたファスナ粘着層５２１とが面接触することで強固に粘着されている。換言すれば、意匠基板５１と面ファスナー５２とは、複数の粘着層により結合されているともいえる。床下の隙間Ｓ（図１参照）にある配線Ｌ（図１参照）の取り出し位置を調整する際などに、意匠材５をタイルカーペット４から引きはがすことがある。その際、意匠材５とタイルカーペット４との間に生じている結合力よりも意匠基板５１と面ファスナー５２との間に生じている粘着力が弱いと、意匠基板５１から面ファスナー５２が引きはがされてしまう。本実施形態では、意匠基板５１と面ファスナー５２それぞれに粘着層を形成しているので、これらの粘着力によって生じている意匠基板５１と面ファスナー５２との貼り付き力は、面ファスナー５２とタイルカーペット４との結合力よりも強い。従って、意匠材５をタイルカーペット４から引きはがす際に、意匠基板５１から面ファスナー５２が引きはがされてしまうことを防止できる。一方、意匠基板５１と高さ調整部材５３とは、意匠基板５１に形成された基材粘着層５１３のみで貼り合わせられている。このため、意匠基板５１と高さ調整部材５３との貼り付き力は、意匠基板５１と面ファスナー５２の貼り付き力よりも弱い。高さ調整部材５３は、タイルカーペット４に押し付けられているだけで結合していなので、意匠基板５１と高さ調整部材５３との貼り付き力は弱くても問題ない。また、意匠基板５１と高さ調整部材５３との間の粘着層が１層ですむため、使用する粘着剤が少なくて済み、また高さ調整部材５３に粘着層を形成する手間もないので意匠材５を廉価に構成できる。なお、面ファスナー５２に形成されたファスナ粘着層５２１とベース板５１２との粘着力が十分強い場合は、基材粘着層５１３を省略して高さ調整部材５３に粘着層を設けても良い。
【００３３】
高さ調整部材５３は、高さが１．５ｍｍ以上２．０ｍｍ以下のシートによって構成されている。上述したように、この高さ調整部材５３は、圧縮性のある発砲ポリエチレン製である。ただし、高さ調整部材５３を圧縮性がほぼない樹脂や金属など、他の材質で形成してもよい。
【００３４】
図４は、タイルカーペットおよび意匠材の断面を、意匠材の長手方向から見た概念図である。この図４では、意匠材の反りおよび各部材の高さ（厚み）を誇張して示している。また断面を示すハッチングは省略している。
【００３５】
図４に示すように、意匠材５をタイルカーペット４の上に敷きつめると、面ファスナー５２のフック部５２３の先端（下端）部分が、タイルカーペット４のパイル繊維層４２内にくい込んで意匠材５とタイルカーペット４とが結合する。上述したように、くい込む前の面ファスナー５２の高さは１．８ｍｍ以上２．０ｍｍ以下である。一方、面ファスナー５２が、タイルカーペット４に結合した状態では、食い込んだ先端部分を除いた、面ファスナー５２の実質高さは０.８ｍｍ以上１．２ｍｍ以下である。また、上述したように、意匠材５をタイルカーペット４の上に敷きつめる前の高さ調整部材５３の高さは、１．５ｍｍ以上２．０ｍｍ以下である。意匠材５を敷き詰めた後は面ファスナー５２とタイルカーペットの結合力により高さ調整部材５３は高さ方向に多少圧縮される場合があり、高さ調整部材５３の高さは１．２ｍｍ以上２．０ｍｍ以下になる。すなわち、意匠材５とタイルカーペット４とが結合した状態で、高さ調整部材５３の高さは、面ファスナー５２の実質高さと同じかほんの少し高い。これらの高さ関係により、意匠基板５１は、平坦またはほんの少しだけ下反り癖がついた状態になる。なお、本実施形態では、高さが１．８ｍｍ以上２．０ｍｍ以下の面ファスナー５２と、高さが１．５ｍｍ以上２．０ｍｍ以下の高さ調整部材５３を用いたが、意匠材５とタイルカーペット４とが結合した状態で、高さ調整部材５３の高さが面ファスナー５２の高さと同じか高さ調整部材５３のの方がほんの少し高くなる関係であればこれらの高さは上述の範囲以外でも構わない。意匠材５の上に人や机などが乗ると、面ファスナー５２のフック部５２３、タイルカーペット４のパイル繊維層４２、および高さ調整部材５３はそれぞれ高さ方向に圧縮されるが、同じ加重ならほぼ同じ量だけ圧縮される。従って、その際にも高さ調整部材５３高さは、面ファスナー５２の高さと同じかほんの少し高い状態が維持される。意匠材５がタイルカーペット４と結合した状態において、意匠基板５１の上面は大気に晒されるので乾燥して収縮しやすい。このため、意匠材５は、中央部分が下方に落ち込み周辺部分が上に反る上反り癖がつきやすい。また、特に本実施形態のように意匠材５の下地となる部材が柔らかいタイルカーペット４の場合は、意匠材５が上反りするとタイルカーペット４が持ち上がってしまい、上反りが抑制されないので上反り形状になり易い。上反り形状になってしまうと、その上反りの程度がわずかであっても、反りあがった意匠材５の１辺を踏んだり、押えると、反対側がより競り上がってしまい、意匠材５がタイルカーペット４から剥がれ易くなると同時に、歩行時に反り上がった部分に突っかかって危険である。これに対し、本実施形態の意匠基板５１は、意匠材５をタイルカーペット４の上に敷きつめた使用状態において、意匠基板５１の下面中央部に配置されている高さ調整部材５３の高さを、意匠基板５１の周辺部に配置されている面ファスナー５２の高さと同じかほんの少し高くしているので、平坦か軽い下反り癖がついている。このため、突板５１１が乾燥しても、意匠材５は上反り癖になりにくい。しかも、面ファスナー５２を意匠基板５１の各辺に沿って意匠基板５１に貼り付けている��で、意匠基板５１の周辺部分が上側に反ることが抑制され、より上反り癖になることが抑制されている。なお、高さ調整部材５３に、圧縮性が低い材料を使用する場合、高さ調整部材５３の高さは、面ファスナー５２の実質高さの最大値と同じ１．２ｍｍにすることが好ましい。また、圧縮性が低い材料を使用し、かつ上反り癖を特に嫌う場合、高さ調整部材５３の高さを１．２ｍｍ以上１．５ｍｍ以下にすればよい。つまり、面ファスナー５２の実質高さの最大値以上最大値プラス０．３ｍｍ以下にすることが望ましい。
【００３６】
図５は、意匠材を設置中の部屋を簡易的に示す平面図である。この図５では、左上側に意匠材を敷き詰めた状態を示し、右下側は意匠材を敷く前の、タイルカーペットが露出している状態を示している。また、意匠材が敷かれた部分の下にあるタイルカーペットの継ぎ目を点線で示している。
【００３７】
図５に示すように、意匠材５は、タイルカーペット４の継ぎ目と意匠材５の継ぎ目が一致しないように、各端縁がタイルカーペット４にまたがって延在するようにタイルカーペット４の上に敷かれている。タイルカーペット４の高さのばらつきなどで隣り合うタイルカーペット４の継ぎ目部分に段差が生じてしうことがある。しかし、その段差が生じたとしても、タイルカーペット４は弾性を有するので段差にまたがって延在する意匠材５によって高い部分が押さえつけられ、意匠面ＤＦでは段差がほぼなくなる。また、仮にタイルカーペット４に生じた段差が押さえきれなかったとしても、段差にまたがって延在する意匠材５で段差が隠されるので意匠面ＤＦではほぼ目立たなくなる。さらに、本実施形態では、面ファスナー５２および高さ調整部材５３も弾性を有するので、これらの弾性によっても段差を吸収することができる。上述したように、本実施形態では、タイルカーペット４の規定の大きさは、５００ｍｍ角の正方形であり、意匠材５の規定の大きさは、長手方向がタイルカーペットの２倍の１０００ｍｍ、短手方向がタイルカーペットの１/６倍の１６６．６ｍｍである。意匠材５の各辺の長さ任意で構わないが、タイルカーペットの各辺の長さの整数倍または整数分の１倍に設定することが望ましい。その長さに設定することで、図５に示すように最初にタイルカーペット４の上に敷く意匠材５の端縁をタイルカーペット４の端縁とはずらして敷けば、その後は最初に敷いた意匠材５の隣から意匠材５を整然と並べていくだけで、タイルカーペット４の継ぎ目と意匠材５の継ぎ目が一致しないように意匠材５を敷き詰めることができる。なお、図５に示す例では、最も左上に示した意匠材５を最初に敷いている。
【００３８】
また、部屋の端辺に接続している意匠材５は、長手方向または短手方向の長さが規定の長さとは異なるように切断されている。通常、床材の施工に際しては、施工現場に規定の大きさの部材を持ち込み、施工時に必要に応じて部材を切断する。本実施形態では、面ファスナー５２および高さ調整部材５３を意匠基板５１の所望の位置に貼り付け直すことが可能であるため、切断された意匠材５の形状に自在に対応させることができる。
【００３９】
次に床ユニット１の変形例について説明する。以下に説明する変形例においては、図１〜図５に示した実施形態との相違点を中心に説明し、図１〜図５に示した実施形態における構成要素の名称と同じ名称の構成要素には、これまで用いた符号を付して説明し、重複する説明は省略する。
【００４０】
図６は、支持脚とフロアパネルの変形例を示す、図１と同様の概略図である。
【００４１】
この変形例では、支持脚２とフロアパネル３とが一体化している点が、図１に示された例と異なる。以下の説明では、この支持脚２が一体化したフロアパネル３を支持脚付フロアパネル３０と称する場合がある。先に示した実施形態でも起こりえるが、特に支持脚付フロアパネル３０を使用した場合、隣り合うフロアパネル３の上面に最大で３ｍｍ程度の不陸が生じることがある。図６には、不陸部分ＤＬが示されている。不陸部分ＤＬがあっても、タイルカーペット４の弾性によってタイルカーペット４の上面では不陸は多少軽減される。本実施形態では、そのタイルカーペット４の上に、意匠材５を配置している。このため、フロアパネル３の上面に不陸があったとしても、意匠基板５１の剛性並びに面ファスナー５２、高さ調整部材５３、およびタイルカーペット４の弾性が相まって、意匠面ＤＦではなだらかな傾斜５１ａとして現れるので段差が目立つことはない。なお、タイルカーペット４の上面を床面として使用しているときには、タイルカーペット４の上面に不陸の影響がある程度現れていても、その上面は非光沢であるパイル繊維層４２であるため目立ちにくい。
【００４２】
図７は、面ファスナーおよび高さ調整部材の変形例を示す、図２と同様の下面図である。
【００４３】
この変形例では、面ファスナー５２が２つしか配置されていない点および高さ調整部材５３の長手方向の長さが長い点とが、図２に示した例と異なる。図７に示すように、この変形例では、面ファスナー５２が、意匠基板５１の長手方向の２辺に沿って２つ配置されているだけで、短手方向の２辺には配置されていない。また、高さ調整部材５３が意匠基板５１の長手方向のほぼ全長にわたって延在している。高さ調整部材５３の長手方向両端部と意匠基板５１の長手方向両端部との隙間は、０ｍｍ以上５ｍｍ以下である。意匠基板５１に用いている突板５１１は、木目方向は反りにくく、木目と直交する方向には反りやすいという性質がある。突板５１１では、木目方向が長手方向になるように構成されているため、長手方向には反りにくい。逆に短手方向に反りやすいが、面ファスナー５２を意匠基板５１の長手方向の２辺に沿って配置しているので、意匠基板５１の反りは抑制できる。また、長手方向の２辺に沿って面ファスナー５２が配置しているので、意匠材５が浮き上がってしまうことも抑制できる。この変形例では、高価な面ファスナー５２の使用量が少ないので、意匠材５を安価に構成できるという効果がある。
【００４４】
本実施形態では、タイルカーペット４をはがさなくても意匠材５を設置できるので、タイルカーペット４を廃棄物として処分する必要がなくなる。また、タイルカーペット４を剥がす手間がかからないので、意匠材５を施工する際の工数が削減できる。さらに、部屋の模様替え等において元のタイルカーペット４に戻したい場合には、意匠材５をはがすことで簡単に元のタイルカーペット４に戻すことができる。例えば、意匠材５を木目が表現された和風のものを採用し、タイルカーペットを洋風のものを採用すれば、洋風と和風の切替が簡単にできる。また、フロアパネル３と意匠材５の間に弾性パッドを配置しなくても、タイルカーペット４の弾性により振動や衝撃を吸収できるとともに不陸もある程度吸収できるので、床ユニット１を安価に構成することができる。
【００４５】
本発明は上述の実施形態や変形例に限られることなく特許請求の範囲に記載した範囲で種々の変形を行うことが出来る。たとえば、本実施形態では、フロアパネル３の上に直接タイルカーペット４を貼り付けているが、フロアパネル３とタイルカーペット４の間に別の部材を介在させてもよい。また、上面が繊維で構成されている敷物材であれば、タイルカーペット４以外のものを用いても良い。また、意匠基板５１を、突板５１１とベース板５１２と基材粘着層５１３とから構成する例を示したが、それらに加え、軟質シートと樹脂含浸紙のうちの一方または両方を設けてもよい。これらを設ける場合、ベース板５１２の下面に軟質シートを接着剤で貼り付け、その下に樹脂含浸紙を接着剤で貼り付け、その樹脂含浸紙の下面に基材粘着層５１３を形成すればよい。また、意匠材５の規定の大きさが長手方向１０００ｍｍ、短手方向１６６．６ｍｍである例を示したが、他の大きさにしてもよく、例えば正方形にしてもよい。同様に、フロアパネル３およびタイルカーペット４の規定の大きさが５００ｍｍ角である例を示したが、異なる大きさのフロアパネル３およびタイルカーペット４を用いても良い。また、高さ調整部材５３に代えて面ファスナー５２を用いても良い。ただし、この場合、面ファスナー５２の面積が増えててしまうので、意匠材５とタイルカーペット４との結合力が強くなりすぎて意匠材５をタイルカーペット４からはがしにくくなる上に、面ファスナー５２は高価であるため意匠材５が高価になってしまうとうデメリットがある。さらに、意匠材５をタイルカーペット４からはがす際に、意匠基板５１から面ファスナー５２がはぎ取られてしまう虞もある。
【００４６】
なお、以上説明した実施形態や各変形例の記載それぞれにのみ含まれている構成要件であっても、その構成要件を、実施形態や他の変形例に適用してもよい。
【符号の説明】
【００４７】
１    床ユニット
２    支持脚
３    フロアパネル
４    タイルカーペット
５    意匠材
４２    パイル繊維層
５１      意匠基板
５２    面ファスナー
５３    高さ調整部材
５１３    基材粘着層
【図１】
2020016019.tif 000003
【図２】
2020016019.tif 000004
【図３】
2020016019.tif 000005
【図４】
2020016019.tif 000006
【図５】
2020016019.tif 000007
【図６】
2020016019.tif 000008
【図７】
2020016019.tif 000009